(57)【特許請求の範囲】
【請求項１】
ヘッド機構と、
先端部が半球状に形成され、ヘッド機構と係合し回転することによってヘッド機構を送る送りねじと、
上記送りねじを回転させる回転駆動機構と、
上記回転駆動機構が配置されると共に少なくとも一方がスラスト軸受として形成され送りねじを支持する一対の軸受部を有するベースと、
上記ベースに設けられると共に、送りねじの上記先端部と当接し送りねじをスラスト方向とスラスト方向に直交する方向とに付勢する弾性部材とを備え、
上記弾性部材は、基端部と当接部とが屈曲した弾性変位部によってほぼＵ字状となるように形成され、
上記基端部には、上記弾性部材の内方に向かって突出し、上記当接部が送りねじの上記先端部と当接した際に上記当接部と当接して上記当接部の上記送りねじの軸方向の移動量を規制する突起が形成され、
上記突起は、上記弾性部材の内方に向かって突出すると共に、上側部と該上側部より突出量の大きい下側部とを有する階段状に形成され、
上記弾性部材の当接部が送りねじの上記先端部によってスラスト方向に押圧されたとき、階段状に形成された上記突起によって、上記当接部の送りねじとの当接面が斜め方向を向くようにした
ことを特徴とするヘッド送り機構。
【請求項２】
光学ピックアップが設けられたピックアップベースと、
ピックアップベースをガイドするガイド機構と、
先端部が半球状に形成され、ピックアップベースと係合し回転することによってピックアップベースをガイド機構に沿って送る送りねじと、
上記送りねじを回転させる回転駆動機構と、
上記回転駆動機構が配置されると共に少なくとも一方がスラスト軸受として形成され送りねじを支持する一対の軸受部を有するベースと、
上記ベースに設けられると共に、送りねじの上記先端部と当接し送りねじをスラスト方向とスラスト方向に直交する方向とに付勢する弾性部材とを備え、
上記弾性部材は、基端部と当接部とが屈曲した弾性変位部によってほぼＵ字状となるように形成され、
上記基端部には、上記弾性部材の内方に向かって突出し、上記当接部が送りねじの上記先端部と当接した際に上記当接部と当接して上記当接部の上記送りねじの軸方向の移動量を規制する突起が形成され、
上記突起は、上記弾性部材の内方に向かって突出すると共に、上側部と該上側部より突出量の大きい下側部とを有する階段状に形成され、
上記弾性部材の当接部が送りねじの上記先端部によってスラスト方向に押圧されたとき、階段状に形成された上記突起によって、上記当接部の送りねじとの当接面が斜め方向を向くようにした
ことを特徴とする光学ピックアップの送り機構。
【発明の詳細な説明】
【０００１】
【発明の属する技術分野】
本発明はヘッド送り機構並びに光学ピックアップの送り機構に関する。特に、本発明は、送りねじを用いるヘッド送り機構並びに光学ピックアップの送り機構に関する。
【０００２】
【従来の技術】
ディスク状記録媒体、例えば、光ディスクへの情報信号の記録又は光ディスクからの情報信号の読み出し、或は、これらの記録及び読み出しの双方を行うヘッドである光学ピックアップの送り機構に送りねじを用いたものがある。このような送り機構の一例を図８に示す。
【０００３】
送りねじａは螺軸部ｂと螺軸部ｂの一方の端部に連続したギヤ部ｃ及び受部ｄが一体的に形成されて成り、その軸方向に離間した２つの軸受に回転自在に支持されている。
【０００４】
送りねじａはギヤ部ｃ及び受部ｄが形成されていない側の螺軸部ｂの端部が図示しないスラスト軸受に支持され、螺軸部ｂの反対側の端部が軸受ｅに支持されている。ギヤ部ｃは図示しない中間ギヤを介してモータに連結されており、また、受部ｂは弾性体ｆと弾接され、これにより送りねじａは軸方向に図８に示すＦ２の力で押圧付勢されている。
【０００５】
軸受ｅは送りねじａを取り付けるために一方が開口されており、開口面側には軸受ｅからの送りねじａの脱落を防止するために押さえ部材ｇが取着されている。
【０００６】
送りねじａは螺軸部ｂが図示しない光学ピックアップのベース体に設けられた送りナット部と螺合され、モータの回転による送りねじａの回転に伴って光学ピックアップが光ディスクの半径方向に移動されるようになっている。
【０００７】
【発明が解決しようとする課題】
ところで、図８に示した送り機構にあっては、送りねじａと軸受ｅとの間に動作上必要な間隙Δｘ１、Δｘ２が設けられている。
【０００８】
これら間隙Δｘ１、Δｘ２により送りねじａの回転時に送りねじａが図８に示すＣ方向にがたついてしまい送りねじａと軸受ｅとの衝突に起因して振動が発生してしまう。かかる振動の発生が光学ピックアップに伝達されると光学ピックアップによる光ディスクに記録された信号の読取等に支障を来し、振動が大きなときにはトラックジャンプによる音飛びが発生してしまう虞がある。
【０００９】
上述した不具合を解消するために間隙Δｘ１、Δｘ２が極小になるように送りねじａと軸受ｅの寸法を定めることが考えられるが、このようにすると部品寸法管理が厳しく要求されコスト高になると共に送りねじａと軸受ｅの回転損失（負荷）が増大するという新たな問題が生じてしまう。
【００１０】
特に、上述したように、軸受ｅとその開口面側に設けられた押さえ部材ｇとが別部材で形成されていると、Δｘ１とΔｘ２を極小にすることは両者の寸法公差の発生により極めて困難である。
【００１１】
そこで、本発明ヘッド送り機構並びに光学ピックアップの送り機構は、上述した問題点を克服し、送りねじや軸受の部品寸法を変更しなくとも軸受内での送りねじのがたつきを防止しヘッドに伝達される振動の低減を図ることを課題とする。
【００１２】
【課題を解決するための手段】
本発明ヘッド送り機構は、上述した課題を解決するために、ヘッド機構と、先端部が半球状に形成され、ヘッド機構と係合し回転することによってヘッド機構を送る送りねじと、送りねじを回転させる回転駆動機構と、回転駆動機構が配置されると共に少なくとも一方がスラスト軸受として形成され送りねじを支持する一対の軸受部を有するベースと、ベースに設けられると共に、送りねじの先端部と当接し送りねじをスラスト方向とスラスト方向に直交する方向とに付勢する弾性部材とを備え、弾性部材は、基端部と当接部とが屈曲した弾性変位部によってほぼＵ字状となるように形成され、基端部には、弾性部材の内方に向かって突出し、当接部が送りねじの先端部と当接した際に当接部と当接して当接部の送りねじの軸方向の移動量を規制する突起が形成され、突起は、弾性部材の内方に向かって突出すると共に、上側部と該上側部より突出量の大きい下側部とを有する階段状に形成され、弾性部材の当接部が送りねじの先端部によってスラスト方向に押圧されたとき、階段状に形成された突起によって、当接部の送りねじとの当接面が斜め方向を向くようにしたものである。
【００１３】
また、本発明光学ピックアップの送り機構は、上述した課題を解決するために、光学ピックアップが設けられたピックアップベースと、ピックアップベースをガイドするガイド機構と、先端部が半球状に形成され、ピックアップベースと係合し回転することによってピックアップベースをガイド機構に沿って送る送りねじと、送りねじを回転させる回転駆動機構と、回転駆動機構が配置されると共に少なくとも一方がスラスト軸受として形成され送りねじを支持する一対の軸受部を有するベースと、ベースに設けられると共に、送りねじの先端部と当接し送りねじをスラスト方向とスラスト方向に直交する方向とに付勢する弾性部材とを備え、弾性部材は、基端部と当接部とが屈曲した弾性変位部によってほぼＵ字状となるように形成され、基端部には、弾性部材の内方に向かって突出し、当接部が送りねじの先端部と当接した際に当接部と当接して当接部の送りねじの軸方向の移動量を規制する突起が形成され、突起は、弾性部材の内方に向かって突出すると共に、上側部と該上側部より突出量の大きい下側部とを有する階段状に形成され、弾性部材の当接部が送りねじの先端部によってスラスト方向に押圧されたとき、階段状に形成された突起によって、当接部の送りねじとの当接面が斜め方向を向くようにしたものである。
【００１４】
従って、本発明にあっては、送りねじの先端部と当接し送りねじをスラスト方向とスラスト方向に直交する方向とに付勢する弾性部材を備えたので、簡単な構成によりヘッドの送り動作の際の振動を抑制することができる。また、送りねじの先端部が半球状に形成されていて、当接片は送りねじの先端部とほぼ点接触する状態になるので、当接片と先端部とが当接した状態で送りねじが回転されることによって生じる摩擦も小さくすることができる。このようにして、送りねじや軸受の部品寸法を変更しなくても、軸受内での送りねじのがたつきが防止される。
【００１５】
【発明の実施の形態】
以下、図面を用いて本発明に係るヘッド送り機構について説明する。以下に述べる本発明の各実施の形態では、記録媒体として所謂コンパクトディスクのような再生専用型の光ディスク（以下、単に「光ディスク」という。）を用いる光ディスク再生装置に用いられる光学ピックアップの送り機構を例に挙げて説明する。
【００１６】
図１に示すように、第１の実施の形態に係る光学ピックアップの送り機構は、合成樹脂から形成されたベース１を有する。ベース１には、開口部２と取り付け用開口部３とが形成されている。開口部２は、光ディスク２５の径方向に沿って長方形状に形成されており、後述する光学ピックアップが開口部２内を光ディスク２５の径方向に移動する。取り付け用開口部３は、ほぼ円形状に形成されており、図示しないスピンドルモータが取り付けられる。
【００１７】
取り付け用開口部３に取り付けられたスピンドルモータの回転軸の先端側には光ディスク２５が載置されるディスクテーブル２４が取り付けられている。ディスクテーブル２４に載置された光ディスク２５は、例えば、線速度一定で回転駆動される。開口部２は少なくとも後述する光学ピックアップによって光ディスク２５の信号記録領域の全面が走査するに足りる大きさに形成されている。
【００１８】
光学ピックアップ２０は、対物レンズ２１、対物レンズ２１をフォーカシング方向及びトラッキング方向に駆動するための図示しないアクチュエータ、光源としての図示しない半導体レーザ、図示しない光検出器及び図示しない光学系及びアクチュエータ、半導体レーザ、光検出器及び光学系が設けられる送りベース２０ａを有する。
【００１９】
対物レンズ２１は、光学ピックアップ２０が後述する送り機構によって光ディスク２５の径方向に送られた際に、光ディスク２５の直径を通る直線上と一致する移動軌跡を描くように送りベース２０ａに配されている。送りベース２０ａには、後述する送りねじと係合するナット部２２と後述するガイド部と係合する係合爪２３が設けられている。係合爪２３は、後述する送りねじが挿通される挿通孔が各々形成された一対の突出片２０ｂと２０ｂとの間に配されている。
【００２０】
ベース１には、開口部２に配される光学ピックアップ２０を挟んで一方の側に一対の軸受部４、５が設けられおり、他方の側にはガイド部６が設けられている。
【００２１】
一対の軸受部４、５のうちの一方の軸受部４は、図５に示すように、断面が例えば図１で見た紙面の奥側に向かって開放され、上側半分が曲面部４ａとなるほぼＵ字状になるように形成されている。他方の軸受部５は、開口部２の内方に向かって開放したスラスト軸受部として形成されている。ガイド部６には、送りベース２０ａの係合爪２３が係合する。
【００２２】
図１及び図２に示すように、ベース１から突出するように形成された取り付け部７には、送りねじの回転駆動機構としての送り機構を構成する送りモータ８、駆動ギヤ８ａや、中間ギヤ９が配されている。送りモータ８は、回転軸が後述する送りねじとほぼ平行になるように取り付け部７に配されている。送りモータ８の回転軸には駆動ギヤ８ａが取り付けられており、駆動ギヤ８ａは中間ギヤ９と噛み合っている。中間ギヤ９は、中間ギヤ９の回転軸が取り付け部７に回転自在に取り付けられている。
【００２３】
尚、ベース１には、図１に示すように、ベース１より外方に向かって突出する複数の突出片１ａ、１ｂが設けられている。これらの突出片１ａ、１ｂは、図示しない再生装置のシャーシに必要に応じてダンパを介して各々取り付けられる。図１には、図面の関係で突出片は２つしか図示されていないが、実際には３つの突出片がベース１に形成されている。
【００２４】
図１に示すように、送りねじ１０はほぼ全体にわたって形成されたねじ部１３を有するとともに一端側にギヤ部１２、突起部１１が設けられている。ねじ部１３と突起部１１は一体的に形成されており、ギヤ１２が後から送りねじ１０に嵌入されることによって形成されている。突起部１１は、図１及び図２に示すように、送りねじ１０のねじ部１２よりも突出し、且つ、先端部１１ａが半球状になるように形成されている。突起部１１の先端部１１ａが後述する付勢部と当接する。
【００２５】
送りねじ１０は、光学ピックアップ２０を挟んでベース１のガイド部６が設けられている側と反対側で、且つ、開口部２を亘るように一端が軸受部４によって軸支されているとともに他端がスラスト軸受部としての軸受部５によって軸支されている。送りねじ１０は、送りベース２０ａの一対の突出片２０ｂ、２０ｂの挿通孔に挿通されるとともに、ねじ部１３と送りベース２０ａのナット部２２が噛み合っている。
【００２６】
送りねじ１０のギヤ部１２は、上述した中間ギヤ９と噛み合っている。その結果、送りねじ１０には送りモータ８の回転力が駆動ギヤ８ａ、中間ギヤ９を介して伝達され、送りねじ１０が回転される。送りねじ１０と光学ピックアップ２０のナット部２２が噛み合っているので、送りねじ１０が回転されることによって光学ピックアップ２０がガイド部６に沿って光ディスク２５の径方向に移動される。その結果、対物レンズ２１から光ディスク２５に照射された光ビームが光ディスク２５を走査して光ディスク２５に記録されているデータが読み出される。
【００２７】
図１及び図２に示すように、送りねじ１０を回転駆動する送りモータ８、駆動ギヤ８ａ、中間ギヤ９の一方の面側を覆うようにベース１に押さえ部材１４が取り付けられる。押さえ部材１４は、図３に示すように、送りモータ８、駆動ギヤ８ａ、中間ギヤ９の一方の面側を覆うに足りる大きさに形成された板状部１４ａに係合片１４ｂ、ねじ挿通孔１４ｃ、付勢部１５が合成樹脂材料を用いて一体に形成されている。
【００２８】
係合片１４ｂは板状部１４ａより突出するように形成されており、先端部分にベース１に形成された図示しない係合孔と係合する係合爪１４ｄが形成されている。この係合爪１４ｄがベース１の係合孔と係合した状態でねじ挿通孔１４ｃにねじが挿通され、このねじがベース１の図示しないねじ取り付け孔と係合することによって押さえ部材１４がベース１に送りモータ８、駆動ギヤ８ａ、中間ギヤ９の一方の面側を覆うように取り付けられる。
【００２９】
押さえ部材１４に形成された付勢部１５は、図１及び図２に示すように、押さえ部材１４がベース１に取り付けられた状態で送りねじ１０の突起部１１の先端部１１ａと当接する。
【００３０】
付勢部１５は、基端部１６と当接部（当接片）１７とが屈曲した弾性変位部１８によってほぼＵ字状となるように形成されている。基端部１６には、付勢部１５の内方に向かって突出する突起１９が形成されている。突起１９は、当接部１７が送りねじ１０の突起部１１の先端部１１ａと当接した際に当接片１７と当接して当接片１７の送りねじ１０の軸方向の移動量を規制するとともに、図４に示すように、送りねじ１０に付勢力を印加するためのものである。
【００３１】
突起１９は、図３及び図４に示すように、付勢部１５の内方に向かって突出する階段状に形成され、上側部１９ａと上側部１９ａよりも突出量の大きい下側部１９ｂとを有する。送りねじ１０の先端部１１ａが上述したように半球状に形成されていることによって当接片１７は送りねじ１０の先端部１１ａとほぼ点接触する状態になるため、当接片１７と先端部１１ａとが当接した状態で送りねじが１０が回転されることによって生じる損失をできるだけ小さくすることができる。
【００３２】
押さえ部材１４がベース１に取り付けられ、送りねじ１０の突起部１１の先端部１１ａと当接した際に、送りねじ１０に印加される付勢力について図４を用いて説明する。
【００３３】
上述したように、押さえ部材１４が係合片１４ｂの係合爪１４ｄをベースの係合孔に係合させ、ねじ挿通孔１４ｃを介してねじを押さえ部材１４に挿通し、ベース１にねじ止めすることによって押さえ部材１４がベース１に取り付けられると、付勢部１５の当接片１７は送りねじ１０の先端部１１ａと当接する。当接片１７は、送りねじ１０の突起部１１によってスラスト方向、即ち、送りねじ１０の軸方向に押圧されるので、当接片１７は突起１９と当接する。このとき、当接片１７は階段状に形成されている突起１９の上側部１９ａ、下側部１９ｂによって、図４に示すように、送りねじ１０との当接面が図４中の斜め上方を向く。その結果、送りねじ１０には力Ｆ１が印加される。
【００３４】
送りねじ１０に印加される力Ｆ１は、図４に示すように、送りねじの軸方向の分力Ｆｘとこの分力Ｆｘに直交する方向、即ち、送りねじ１０の軸方向に直交する方向の分力Ｆｙとの各成分に分けられる。送りねじ１０には図４及び図５中の矢印Ａで示す方向に移動しようとする力が働くため、送りねじ１０は軸受部４の内面に当接する状態となる。
【００３５】
送りねじ１０は、軸受部４の内面と当接した状態で送りモータ８の回転力によって回転される。その際、図４及び図５中の矢印Ａ、Ｂで示す方向のガタツキが防止され、送りねじ１０の軸方向のガタツキも上述した分力Ｆｘによって当接片１７が送りねじ１０を軸方向に押圧するために防止される。
【００３６】
尚、当接片１７と送りねじ１０の先端部１１ａとが当接することによって生じる力Ｆ１は、当接片１７と先端部１１ａとが当接した状態で、且つ、図４に示すように、送りねじ１０が軸受部４と当接した状態で送りねじ１０が回転駆動されるため、当接片１７と先端部１１ａとが当接すること、送りねじ１０と軸受部４とが当接することによって生じる損失ができるだけ小さくなるように、且つ、送りねじ１０にガタツキを生じない程度に設定されている。換言すると、弾性変位部１６による付勢力は、当接片１７と先端部１１ａとの当接、送りねじ１０と軸受部４との当接によって生じる損失ができるだけ小さくなるように、且つ、送りねじ１０にガタツキを生じない程度に設定されている。
【００３７】
加えて、図５に示すように、軸受部４は、上述したように上側部分が曲面部４ａとしてほぼＵ字状に形成されているので、送りねじ１０の先端部１１ａと当接片１７とが当接した状態で送りねじ１０に働く力Ｆ１の分力Ｆｙによって送りねじ１０のねじ部１３は軸受部４の曲面部４ａの頂点となる位置と当接する。この状態で、送りモータ８からの回転力によって送りねじ１０が回転されると図５中の矢印Ａ、Ｂで示す方向のガタツキを防止することができるのみならず、図５中の矢印Ｄで示す方向のガタツキも抑制することができる。
【００３８】
次に、本発明の第２の実施の形態に係る光学ピックアップの送り機構について、図６を用いて説明する。この第２の実施の形態は、送りねじの付勢部による付勢方向が上述した第１の実施の形態と異なるのみで、他の構成は上述した第１の実施の形態と同様に構成されているのでここでの詳細な説明は省略する。
【００３９】
上述した第１の実施の形態では、図４に示した送りねじ１０の軸方向とこの軸方向と直交する方向の２方向に付勢部１５によって付勢するように構成されていたが、第２の実施の形態では、送りねじ１０の軸方向とこの軸方向に直交する２方向の計３方向に付勢部３０によって付勢するものである。
【００４０】
図６に示すように、付勢部３０を三次元的に傾斜させて、ｘ軸方向、ｙ軸方向及びｚ軸方向に各々分力を発生させる。換言すると、送りねじ１０の軸方向となるｚ軸方向と、軸方向と直交する第１の方向、例えば、ｘ軸方向と、軸方向と直交し、且つ、第１の方向に直交する第２の方向、例えば、ｙ軸方向との各方向の分力を合成した付勢力を付勢部３０によって印加する。そのために、付勢部３０をｘ軸に対して角度αだけ傾斜させるとともに、ｙ軸に対して角度βだけ傾斜させる。
【００４１】
例えば、上述した第１の実施の形態と同様に押さえ部材１４が係合片１４ｂの係合爪１４ｄをベースの係合孔に係合させ、ねじ挿通孔１４ｃを介してねじを押さえ部材１４に挿通し、ベース１にねじ止めすることによって押さえ部材１４がベース１に取り付けられると、付勢部３０は送りねじ１０の先端１１ａと当接する。このとき、送りねじ１０には図６に示す力Ｇが印加される。
【００４２】
送りねじ１０に印加される力Ｇは、図６に示すように、送りねじの軸方向の分力Ｇｚと、この分力Ｇｚと直交する方向、即ち、送りねじ１０の軸方向と直交する第１の方向の分力Ｇｘと、送りねじ１０の軸方向に直交し、且つ、第１の方向に直交する第２の方向の分力Ｇｙとの各成分に分けられる。その結果、送りねじ１０は、軸方向の分力Ｇｚによって軸方向のガタツキが防止されるとともに、軸方向と直交する第１の方向、例えば、図４中の矢印Ａ、Ｂで示す方向のガタツキが防止され、さらに軸方向と直交し、且つ、第１の方向と直交する第２の方向、例えば、図５中の矢印Ｄで示す方向のガタツキも防止することができる。第２の実施の形態の場合、付勢部３０の傾斜角度を変更することによって防止若しくは抑制したいガタツキの方向の分力を大きく発生させてガタツキを防止することができる。
【００４３】
以上のように、本発明に係る各実施の形態では、光学ピックアップを光ディスク２５の径方向に送る送りねじのガタツキを防止することができるので、光学ピックアップの送り動作の際に生じる振動を抑制し、安定した読取動作を実現することができる。
【００４４】
本発明は上述した実施の形態に限らず、本発明の趣旨を大きく逸脱しない範囲で種々の変更が可能であることは勿論のことである。例えば、上述した第１の実施の形態では軸受部４は上面部が曲面部４ａとなるほぼＵ字状に形成されていたが、図７に示すように、上面部が平面部となる形状に形成しても良い。この場合には、上述した第１の実施の形態と同様に当接片１７と先端部１１ａとが当接した状態で送りねじ１０に加わる力Ｆ１の一方の分力Ｆｙによって送りねじ１０は図７中の矢印Ａ方向に付勢されるため、図７中の矢印Ａ、Ｂで示す方向のガタツキを同様に防止することができる。図７中の矢印Ａ、Ｂで示す方向と直交する方向のガタツキは送りねじ１０と軸受部４の内面とのクリアランスを調整することによって抑制することができる。
【００４５】
上述した各実施の形態では、ヘッド送り機構として記録媒体として光ディスクを用いる光ディスク再生装置に用いられる光学ピックアップの送り機構を例に挙げて説明したが、これに限らず光ディスクの記録装置または光ディスクの記録再生装置の光学ピックアップの送り機構や磁気ディスクの記録又は再生装置、或はこれらの記録再生の双方を行うことのできる記録再生装置の磁気ヘッド送り機構にも適用することができる。
【００４６】
【発明の効果】
以上に記載したところから明らかなように、本発明ヘッド送り機構は、ヘッド機構と、先端部が半球状に形成され、ヘッド機構と係合し回転することによってヘッド機構を送る送りねじと、送りねじを回転させる回転駆動機構と、回転駆動機構が配置されると共に少なくとも一方がスラスト軸受として形成され送りねじを支持する一対の軸受部を有するベースと、ベースに設けられると共に、送りねじの先端部と当接し送りねじをスラスト方向とスラスト方向に直交する方向とに付勢する弾性部材とを備え、弾性部材は、基端部と当接部とが屈曲した弾性変位部によってほぼＵ字状となるように形成され、基端部には、弾性部材の内方に向かって突出し、当接部が送りねじの先端部と当接した際に当接部と当接して当接部の送りねじの軸方向の移動量を規制する突起が形成され、突起は、弾性部材の内方に向かって突出すると共に、上側部と該上側部より突出量の大きい下側部とを有する階段状に形成され、弾性部材の当接部が送りねじの先端部によってスラスト方向に押圧されたとき、階段状に形成された突起によって、当接部の送りねじとの当接面が斜め方向を向くようにしたことを特徴とする。
【００４７】
従って、本発明にあっては、送りねじの先端部と当接し送りねじをスラスト方向とスラスト方向に直交する方向とに付勢する弾性部材を備えたので、簡単な構成によりヘッドの送り動作の際の振動を抑制することができる。また、送りねじの先端部が半球状に形成されていて、当接片は送りねじの先端部とほぼ点接触する状態になるので、当接片と先端部とが当接した状態で送りねじが回転されることによって生じる摩擦も小さくすることができる。このようにして、送りねじや軸受の部品寸法を変更しなくても、軸受内での送りねじのがたつきが防止される。
そして、さらに、弾性部材の当接部が送りねじの先端部によってスラスト方向に押圧されたとき、階段状に形成された突起によって、当接部の送りねじとの当接面が斜め方向を向くようにしたので、送りねじは弾性部材によって２方向に付勢され、２方向のがたつきを抑制することができる。
【００５０】
また、本発明光学ピックアップの送り機構にあっては、光学ピックアップが設けられたピックアップベースと、ピックアップベースをガイドするガイド機構と、先端部が半球状に形成され、ピックアップベースと係合し回転することによってピックアップベースをガイド機構に沿って送る送りねじと、送りねじを回転させる回転駆動機構と、回転駆動機構が配置されると共に少なくとも一方がスラスト軸受として形成され送りねじを支持する一対の軸受部を有するベースと、ベースに設けられると共に、送りねじの先端部と当接し送りねじをスラスト方向とスラスト方向に直交する方向とに付勢する弾性部材とを備え、弾性部材は、基端部と当接部とが屈曲した弾性変位部によってほぼＵ字状となるように形成され、基端部には、弾性部材の内方に向かって突出し、当接部が送りねじの先端部と当接した際に当接部と当接して当接部の送りねじの軸方向の移動量を規制する突起が形成され、突起は、弾性部材の内方に向かって突出すると共に、上側部と該上側部より突出量の大きい下側部とを有する階段状に形成され、弾性部材の当接部が送りねじの先端部によってスラスト方向に押圧されたとき、階段状に形成された突起によって、当接部の送りねじとの当接面が斜め方向を向くようにしたことを特徴とする。
【００５１】
従って、本発明にあっては、送りねじの先端部と当接し送りねじをスラスト方向とスラスト方向に直交する方向とに付勢する弾性部材を備えたので、簡単な構成によりヘッドの送り動作の際の振動を抑制することができる。また、送りねじの先端部が半球状に形成されていて、当接片は送りねじの先端部とほぼ点接触する状態になるので、当接片と先端部とが当接した状態で送りねじが回転されることによって生じる摩擦も小さくすることができる。このようにして、送りねじや軸受の部品寸法を変更しなくても、軸受内での送りねじのがたつきが防止される。
そして、さらに、弾性部材の当接部が送りねじの先端部によってスラスト方向に押圧されたとき、階段状に形成された突起によって、当接部の送りねじとの当接面が斜め方向を向くようにしたので、送りねじは弾性部材によって２方向に付勢され、２方向のがたつきを抑制することができる。
【００６１】
尚、上記した各実施の形態に示した各部の形状及び構造は、何れも本発明を実施するに際しての具体化のほんの一例を示したものにすぎず、これらによって本発明の技術的範囲が限定的に解釈されるものであってはならないものである。
【図面の簡単な説明】
【図１】本発明の第１の実施の形態に係る光学ピックアップの送り機構の構成を示す平面図である。
【図２】第１の実施の形態に係る光学ピックアップの要部を示す拡大背面図である。
【図３】第１の実施の形態に係る光学ピックアップに用いられる押さえ部材の拡大斜視図である。
【図４】送りねじが軸受部の内面に押し付けられた状態を示す拡大断面図である。
【図５】図４のＶ−Ｖ線に沿う断面図である。
【図６】本発明の第２の実施の形態に係る光学ピックアップの送り機構の要部を示す斜視図である。
【図７】軸受部の変形例を示す拡大断面図である。
【図８】従来の送り機構の一例を示す拡大断面図である。
【符号の説明】
１…ベース、４…軸受部、５…軸受部、８…送りモータ（回転駆動機構）、８ａ…駆動ギヤ（回転駆動機構）、９…中間ギヤ（回転駆動機構）、１０…送りねじ、１１ａ…先端部、１５…付勢部（弾性部材）、１６…基端部、１７…当接片（当接部）、１８…弾性変位部、１９…突起、１９ａ…上側部、１９ｂ…下側部、２０…光学ピックアップ、２０ａ…送りベース（ピックアップベース）、３０…付勢部（弾性部材）
【図１】
0004367973.tif 000002
【図２】
0004367973.tif 000003
【図３】
0004367973.tif 000004
【図４】
0004367973.tif 000005
【図５】
0004367973.tif 000006
【図６】
0004367973.tif 000007
【図７】
0004367973.tif 000008
【図８】
0004367973.tif 000009